(57)【要約】【課題】照明ランプの発光面を確実に保護することのできる照明ランプの包装材及びランプ包装体を提供する。【解決手段】包装材３は、照明ランプ２を収納する箱４と、箱４の内部に配置され、照明ランプ２に接する保持材５とを備える。照明ランプ２の外表面は、光源からの光が出射する発光面２ｂと、光源からの光が出射しない非発光面とを含む。箱４及び保持材５が発光面２ｂに接することなく、保持材５が非発光面に接することにより照明ランプ２を保持可能である。【選択図】図１
2019156422.tif 000002
【特許請求の範囲】
【請求項１】
照明ランプを収納する箱と、
前記箱の内部に配置され、前記照明ランプに接する保持材とを備え、
前記照明ランプの外表面は、光源からの光が出射する発光面と、前記光源からの光が出射しない非発光面とを含み、
前記箱及び前記保持材が前記発光面に接することなく、前記保持材が前記非発光面に接することにより前記照明ランプを保持可能である照明ランプの包装材。
【請求項２】
前記保持材は、前記照明ランプの重心の位置よりも前記照明ランプの基端側の位置で前記照明ランプに接する第一保持部と、前記重心の位置よりも前記照明ランプの先端側の位置で前記照明ランプに接する第二保持部とを有する請求項１に記載の照明ランプの包装材。
【請求項３】
前記非発光面は、前記照明ランプの光源で発生した熱を散逸させる放熱フィンの表面を含み、
前記箱及び前記保持材が前記放熱フィンに接することなく前記照明ランプを保持可能である請求項１または請求項２に記載の照明ランプの包装材。
【請求項４】
前記保持材は、前記発光面が前記箱の内面に接することを防止する接触防止部を有する請求項１から請求項３のいずれか一項に記載の照明ランプの包装材。
【請求項５】
前記発光面を上に向けた状態で前記照明ランプが前記箱に収納される請求項１から請求項４のいずれか一項に記載の照明ランプの包装材。
【請求項６】
前記非発光面は、前記発光面を形成する部材を固定するための固定部材の表面を含み、
前記保持材が前記固定部材に接する請求項１から請求項５のいずれか一項に記載の照明ランプの包装材。
【請求項７】
前記固定部材は、前記発光面の外縁に沿う枠状の形状を有し、
前記保持材は、前記発光面の外径よりも大きく前記固定部材の外径よりも小さい内径を有する開口部を有し、
前記開口部が前記固定部材に接する請求項６に記載の照明ランプの包装材。
【請求項８】
前記保持材は、前記開口部の内縁から径方向の外側に向かって延びる複数の切り込みと、前記複数の切り込みの間に形成される舌状部とを有する請求項７に記載の照明ランプの包装材。
【請求項９】
前記保持材は、前記箱の内部の上部において前記照明ランプに接する上部保持材を有し、
前記上部保持材は、前記開口部が形成された第一部位と、前記第一部位に対して上方向に突出する第二部位とを有する請求項７または請求項８に記載の照明ランプの包装材。
【請求項１０】
前記保持材は、前記箱の内部の下部において前記照明ランプに接する下部保持材を有し、
前記下部保持材は、前記箱の底面に沿って配置される下層部と、前記下層部よりも上側に配置され、前記照明ランプの一部が挿入される開口部を有する上層部と、前記下層部と前記上層部との間を接続し、上下方向に沿って配置される側面部とを有する請求項１から請求項９のいずれか一項に記載の照明ランプの包装材。
【請求項１１】
前記箱の内面の角部と、前記保持材との間に形成された隙間を有し、前記隙間に手を挿入可能である請求項１から請求項１０のいずれか一項に記載の照明ランプの包装材。
【請求項１２】
前記保持材は、前記照明ランプが前記箱の内面に接しないように前記照明ランプを保持する請求項１から請求項１１のいずれか一項に記載の照明ランプの包装材。
【請求項１３】
前記箱及び前記保持材が紙製の材料で形成されている請求項１から請求項１２のいずれか一項に記載の照明ランプの包装材。
【請求項１４】
請求項１から請求項１３のいずれか一項に記載の照明ランプの包装材と、
前記照明ランプとを備える照明ランプ包装体。
【発明の詳細な説明】
【技術分野】
【０００１】
本発明は、照明ランプの包装材及びランプ包装体に関する。
【背景技術】
【０００２】
下記特許文献１に、照明ランプのグローブを包装する包装材が開示されている。特許文献１の包装材は、グローブを収納する箱の内部に配置されたホルダがグローブの表面すなわち発光面に接することによりグローブを保持する。
【先行技術文献】
【特許文献】
【０００３】
【特許文献１】特開昭６３−９６０８１号公報
【発明の概要】
【発明が解決しようとする課題】
【０００４】
上述した従来の技術では、輸送中の振動あるいは衝撃により、ホルダが発光面に対して擦れることで、発光面に傷がつきやすいという課題がある。特に、高天井型ランプに代表される製品の質量が大きい照明ランプの場合には、ホルダと発光面との間の圧力が高くなるため、発光面に傷が発生しやすい。
【０００５】
本発明は、上述のような課題を解決するためになされたもので、照明ランプの発光面を確実に保護することのできる照明ランプの包装材及びランプ包装体を提供することを目的とする。
【課題を解決するための手段】
【０００６】
本発明に係る照明ランプの包装材は、照明ランプを収納する箱と、箱の内部に配置され、照明ランプに接する保持材とを備え、照明ランプの外表面は、光源からの光が出射する発光面と、光源からの光が出射しない非発光面とを含み、箱及び保持材が発光面に接することなく、保持材が非発光面に接することにより照明ランプを保持可能であるものである。
また、本発明に係るランプ包装体は、上記の包装材と、上記照明ランプとを備えるものである。
【発明の効果】
【０００７】
本発明によれば、照明ランプの発光面を確実に保護することが可能となる。
【図面の簡単な説明】
【０００８】
【図１】実施の形態１による照明ランプの包装材及びランプ包装体を示す側面断面図である。
【図２】図１に示す包装材が備える箱を示す斜視図である。
【図３】図１に示す包装材が備える保持材を示す斜視図である。
【図４】図１に示す包装材が備える上部保持材を示す展開図である。
【図５】図１に示す包装材が備える下部保持材を示す展開図である。
【図６】図１に示すランプ包装体が備える照明ランプを示す側面図である。
【図７】図１に示すランプ包装体を組み立てる手順を説明するための斜視図である。
【図８】図１に示すランプ包装体を組み立てる手順を説明するための斜視図である。
【図９】実施の形態１によるランプ包装体の部分的な断面図である。
【図１０】実施の形態２によるランプ包装体の部分的な断面図である。
【図１１】実施の形態３によるランプ包装体の部分的な断面図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１０】
実施の形態１．
図１は、実施の形態１による照明ランプの包装材及びランプ包装体を示す側面断面図である。図１に示すように、ランプ包装体１は、照明ランプ２及び包装材３を備える。包装材３は、照明ランプ２を収納する箱４と、保持材５とを備える。保持材５は、箱４の内部に配置される。保持材５は、照明ランプ２に接する。保持材５は、箱４の内面に接する。保持材５は、照明ランプ２を包むビニール袋を介して照明ランプ２に接してもよい。箱４及び保持材５の各々は、例えば紙製段ボールで作られていてもよい。箱４及び保持材５を紙製にすることにより、廃棄時の処理が容易になる。箱４及び保持材５の各々は、例えばプラスチック製段ボールのような、紙以外の材料で作られていてもよい。
【００１１】
本実施の形態における保持材５は、上部保持材６及び下部保持材７を有する。上部保持材６は、箱４の内部の上部において照明ランプ２に接する。下部保持材７は、箱４の内部の下部において照明ランプ２に接する。
【００１２】
照明ランプ２は、本体２ａ、発光面２ｂ、及び口金２ｃを有する。発光面２ｂは、照明ランプ２の外表面のうち、光源からの光が出射する面である。口金２ｃは、本体２ａの一端に配置されている。以下の説明では、口金２ｃが配置された端部を照明ランプ２の基端とし、その反対側の端部を照明ランプ２の先端とする。図示の例では、以下のようになっている。発光面２ｂは、口金２ｃの反対側に位置する。すなわち、発光面２ｂは、照明ランプ２の先端側にある。照明ランプ２は、基端が下になり先端が上になる姿勢で箱４内に収納されている。
【００１３】
以下の説明では、照明ランプ２の外表面のうち、発光面２ｂ以外の表面を「非発光面」と称する。すなわち、非発光面は、照明ランプ２の外表面のうち、光源からの光が出射しない面に相当する。本実施の形態では、箱４及び保持材５が発光面２ｂに接することなく、保持材５が照明ランプ２の非発光面に接することにより照明ランプ２が箱４の内部で保持される。これにより、照明ランプ２の発光面２ｂを確実に保護することができ、発光面２ｂに傷、擦れ痕、圧痕などが生ずることを確実に防止できる。
【００１４】
下部保持材７は、照明ランプ２の重心２ｄの位置よりも照明ランプ２の基端側の位置で照明ランプ２に接する第一保持部に相当する。上部保持材６は、重心２ｄの位置よりも照明ランプ２の先端側の位置で照明ランプ２に接する第二保持部に相当する。本実施の形態であれば、第一保持部及び第二保持部により重心２ｄの両側の位置で照明ランプ２を保持することにより、箱４の内部で照明ランプ２が変位することをより確実に防止できる。このため、照明ランプ２の発光面２ｂが箱４の内面などに接触することをより確実に防止できるので、発光面２ｂをより確実に保護することができる。
【００１５】
本実施の形態における保持材５は、上部保持材６及び下部保持材７が分離している構成を有するが、変形例として、上部保持材６及び下部保持材７が一体的に形成されていてもよい。
【００１６】
図２は、図１に示す包装材３が備える箱４を示す斜視図である。図２は、箱４の蓋４ａを開いた状態を示している。箱４は、直方体状の形状を有する。箱４の内部に照明ランプ２及び保持材５を収納した後、蓋４ａを閉じることで、図１に示すランプ包装体１を形成することができる。
【００１７】
図３は、図１に示す包装材３が備える保持材５を示す斜視図である。図４は、図１に示す包装材３が備える上部保持材６を示す展開図である。図５は、図１に示す包装材３が備える下部保持材７を示す展開図である。
【００１８】
図３に示すように、上部保持材６は、円形の開口部６ａが形成された第一部位６ｂと、第一部位６ｂに対して上方向に突出する第二部位６ｃとを有する。図示の例では、上部保持材６は、四つの第二部位６ｃを有する。第二部位６ｃは、第一部位６ｂに対して折り曲げ部を介してつながっている。第一部位６ｂには、開口部６ａの内縁から径方向の外側に向かって延びる複数の切り込み６ｄが形成されている。複数の切り込み６ｄは、放射状に配置されている。切り込み６ｄ同士の間に舌状部６ｅが形成される。複数の舌状部６ｅが開口部６ａの周方向に沿って並ぶ。
【００１９】
上部保持材６は、上から見て八角形の形状を有する。四つの第二部位６ｃの外面が箱４の四つの側面の内面に接することで、箱４の内部で照明ランプ２が横方向に変位することをより確実に防止できる。また、四つの第二部位６ｃの先端が箱４の頂部の内面に接することで、発光面２ｂが箱４の頂部の内面に接することをより確実に防止できる。第二部位６ｃは、発光面２ｂが箱４の内面に接することを防止する接触防止部に相当する。図４に示すように、上部保持材６は、１枚のシートで作ることができる。
【００２０】
図３に示すように、下部保持材７は、下層部７ａ、上層部７ｂ、及び側面部７ｄを有する。下層部７ａは、箱４の底面に沿って配置される。上層部７ｂは、下層部７ａよりも上側に配置される。上層部７ｂは、照明ランプ２の一部が挿入する開口部７ｃを有する。側面部７ｄは、下層部７ａと上層部７ｂとの間を接続する。側面部７ｄは、上下方向に沿って配置される。下部保持材７は、上から見て八角形の形状を有する。下部保持材７は、四つの側面部７ｄを有する。四つの側面部７ｄの外面が箱４の四つの側面の内面に接することで、箱４の内部で照明ランプ２が横方向に変位することをより確実に防止できる。下部保持材７は、口金２ｃが下層部７ａに接しないように照明ランプ２の重量を支える。これにより、口金２ｃに傷がつくことをより確実に防止できる。
【００２１】
図５に示すように、下部保持材７は、１枚のシートで作ることができる。下層部７ａと上層部７ｂとの間は、一つの側面部７ｄを介してつながっている。他の三つの側面部７ｄは、折り曲げ部を介して上層部７ｂにつながっている。下層部７ａには、その三つの側面部７ｄの下端と噛み合う切欠き７ｅが形成されている。
【００２２】
図６は、図１に示すランプ包装体１が備える照明ランプ２を示す側面図である。本実施の形態における照明ランプ２は、例えば工場、倉庫、体育館、競技施設などの高天井用照明器具として使用することに適した大型のランプである。照明ランプ２は、例えば発光ダイオード、有機ＥＬ（Ｅｌｅｃｔｒｏ−Ｌｕｍｉｎｅｓｃｅｎｃｅ）、レーザー光源のような半導体光源を備えたものでもよい。本実施の形態における照明ランプ２は、軸方向から見たときに円形の外形を有するが、照明ランプ２の形状はこのような形状に限定されるものではない。
【００２３】
照明ランプ２は、透光カバー２ｅ、放熱フィン２ｆ、及び固定部材２ｇを備える。照明ランプ２の光源からの光は、透光カバー２ｅを透過して外部へ放射される。発光面２ｂは、透光カバー２ｅの外面に相当する。透光カバー２ｅは、プラスチック製でもよいしガラス製でもよい。放熱フィン２ｆは、本体２ａに形成されている。放熱フィン２ｆは、照明ランプ２の光源で発生した熱を散逸させる。固定部材２ｇは、透光カバー２ｅを本体２ａに対して固定するための部材である。固定部材２ｇは、例えば、アルミニウム、ステンレス鋼などの金属製でもよい。固定部材２ｇは、発光面２ｂの外縁すなわち透光カバー２ｅの外縁に沿う枠状の形状を有する。照明ランプ２の非発光面は、固定部材２ｇの表面と、放熱フィン２ｆの表面とを含む。
【００２４】
図７及び図８は、図１に示すランプ包装体１を組み立てる手順を説明するための斜視図である。図７及び図８では、箱４の図示を省略する。下部保持材７を組み立てる際には、図５に示す展開図における各折り曲げ線を折り曲げ、三つの側面部７ｄの下端を切欠き７ｅに噛み合わせる。その下部保持材７を箱４内の底部に配置する。次に、図７に示すように、開口部７ｃに口金２ｃが挿入されるように、照明ランプ２を箱４の内部に配置する。
【００２５】
続いて、図８に示すように、上部保持材６の第一部位６ｂと各第二部位６ｃとの間の折り曲げ線を折り曲げ、その上部保持材６を箱４の内部の照明ランプ２の上に配置する。その後、箱４の蓋４ａを閉じることで、組み立てが終了する。
【００２６】
図９は、上記のようにして組み立てたランプ包装体１の部分的な断面図である。図９において、照明ランプ２については断面図とせずに側面図としている。なお、図９中で、箱４及び上部保持材６の右側の部分は、図示が省略されているが、箱４及び上部保持材６の左側の部分と対称である。後述する図１０及び図１１についても同様とする。図９に示すように、上部保持材６の舌状部６ｅが照明ランプ２の固定部材２ｇに接することにより照明ランプ２が保持される。固定部材２ｇは、透光カバー２ｅを固定するための部材であるので、十分に高い強度を有している。そのような固定部材２ｇの位置で上部保持材６が照明ランプ２を保持することにより、照明ランプ２をより確実に保持することができる。
【００２７】
本実施の形態であれば、複数の舌状部６ｅにより固定部材２ｇを全周から保持することができる。このため、照明ランプ２をより確実に保持することができる。舌状部６ｅは、照明ランプ２の中心に向かって斜め上に延びるように傾斜する。このように傾斜した舌状部６ｅが固定部材２ｇに接することにより、箱４の内部で照明ランプ２が上方向に移動することと横方向に移動することとの両方をより確実に防止できる。
【００２８】
図４の展開図の状態において、上部保持材６の開口部６ａは、発光面２ｂの外径よりも大きく固定部材２ｇの外径よりも小さい内径を有する。これにより、以下の効果が得られる。開口部６ａの内縁の舌状部６ｅが発光面２ｂに触れることをより確実に防止できるので、発光面２ｂをより確実に保護することができる。
【００２９】
放熱フィン２ｆは、薄いので、強度が低い。箱４または保持材５が放熱フィン２ｆに接すると、放熱フィン２ｆが変形する可能性がある。これに対し、本実施の形態であれば、箱４及び保持材５が放熱フィン２ｆに接することなく照明ランプ２を保持可能である。これにより、放熱フィン２ｆの変形をより確実に防止できる。
【００３０】
本実施の形態では、発光面２ｂを上に向けた状態で照明ランプ２が箱４に収納される。照明ランプ２のような大型のランプは質量が大きい。このため、発光面２ｂを下に向けた状態では、発光面２ｂに触れることなく照明ランプ２を保持することが難しい場合がある。これに対し、本実施の形態であれば、発光面２ｂを上に向けた状態にすることで、発光面２ｂに触れることなく照明ランプ２を確実に保持することができる。
【００３１】
本実施の形態では、箱４の内面の角部と、上部保持材６との間に直角三角形の隙間が形成され、隙間に手を挿入可能である。開梱時には、当該隙間に入れた手で上部保持材６を持ち上げることができるので、上部保持材６を容易に取り外すことができる。
【００３２】
本実施の形態では、箱４の内面の角部と、下部保持材７との間に直角三角形の隙間が形成され、隙間に手を挿入可能である。開梱時には、当該隙間に入れた手で下部保持材７を持ち上げることができるので、下部保持材７を容易に取り外すことができる。
【００３３】
本実施の形態では、上部保持材６及び下部保持材７を備えた保持材５により、照明ランプ２が箱４の内面に接しないように照明ランプ２が保持される。このため、輸送中の振動あるいは衝撃から照明ランプ２をより確実に保護することができる。
【００３４】
実施の形態２．
次に、図１０を参照して、実施の形態２について説明するが、前述した実施の形態１との相違点を中心に説明し、同一部分または相当部分については説明を簡略化または省略する。図１０は、実施の形態２によるランプ包装体１Ａの部分的な断面図である。図１０において、照明ランプ２については断面図とせずに側面図としている。
【００３５】
図１０に示す本実施の形態のランプ包装体１Ａは、上部保持材６に代えて上部保持材６Ａを備える。上部保持材６Ａは、切り込み６ｄ及び舌状部６ｅを有していない。上部保持材６Ａの開口部６ａの内周には、照明ランプ２の固定部材２ｇの角部に噛み合う段差部６ｇが形成されている。段差部６ｇが固定部材２ｇの角部を保持することにより、箱４の内部で照明ランプ２が上方向に移動することと横方向に移動することとの両方をより確実に防止できる。以上のような実施の形態２によれば、実施の形態１と同様の効果が得られる。
【００３６】
実施の形態３．
次に、図１１を参照して、実施の形態３について説明するが、前述した実施の形態１との相違点を中心に説明し、同一部分または相当部分については説明を簡略化または省略する。図１１は、実施の形態３によるランプ包装体１Ｂの部分的な断面図である。図１１において、照明ランプ２については断面図とせずに側面図としている。
【００３７】
図１１に示す本実施の形態のランプ包装体１Ｂは、箱４に代えて箱８を備えるとともに、上部保持材６に代えて上部保持材９を備える。照明ランプ２の固定部材２ｇの外周面は、箱８の内面に接している。これにより、箱８の内部で照明ランプ２が横方向に移動することを確実に防止できる。上部保持材９は、円筒状の形状を有する。上部保持材９の外周面は、箱８の内面に接している。上部保持材９は、発光面２ｂの外径よりも大きく固定部材２ｇの外径よりも小さい内径を有する。上部保持材９の下端は、固定部材２ｇの上面に接する。上部保持材９の上端は、箱８の頂部の内面に接する。上部保持材９により、箱８の内部で照明ランプ２が上方向に移動することを確実に防止できる。上部保持材９は、発光面２ｂが箱８の内面に接することを防止する接触防止部に相当する。以上のような実施の形態３によれば、実施の形態１と同様の効果が得られる。
【符号の説明】
【００３８】
１  ランプ包装体、  １Ａ  ランプ包装体、  １Ｂ  ランプ包装体、  ２  照明ランプ、  ２ａ  本体、  ２ｂ  発光面、  ２ｃ  口金、  ２ｄ  重心、  ２ｅ  透光カバー、  ２ｆ  放熱フィン、  ２ｇ  固定部材、  ３  包装材、  ４  箱、  ４ａ  蓋、  ５  保持材、  ６  上部保持材、  ６Ａ  上部保持材、  ６ａ  開口部、  ６ｂ  第一部位、  ６ｃ  第二部位、  ６ｄ  切り込み、  ６ｅ  舌状部、  ６ｇ  段差部、  ７  下部保持材、  ７ａ  下層部、  ７ｂ  上層部、  ７ｃ  開口部、  ７ｄ  側面部、  ８  箱、  ９  上部保持材
【図１】
2019156422.tif 000003
【図２】
2019156422.tif 000004
【図３】
2019156422.tif 000005
【図４】
2019156422.tif 000006
【図５】
2019156422.tif 000007
【図６】
2019156422.tif 000008
【図７】
2019156422.tif 000009
【図８】
2019156422.tif 000010
【図９】
2019156422.tif 000011
【図１０】
2019156422.tif 000012
【図１１】
2019156422.tif 000013